(57)【特許請求の範囲】
【請求項１】
工具ボディと、
前記工具ボディの内側に配設された前ハンドルと、
前記前ハンドルの内側に配設された引張力付与機構と、
前記工具ボディに揺動可能に連結された後ハンドルとを備え、
前記前ハンドルはアダプタを備えており、該アダプタは一対のアーム部を備えており、該一対のアーム部の間に挿入部が画成されており、
前記ラチェット機構は、前記挿入部の中に配設されたラチェットハウジングを備え、
前記ラチェットハウジングは一対の側片部を備え、それら一対の側片部の各々の下縁に、デテントローラを受け入れるための溝が形成されており、
前記引張力付与機構は、引張力を結束具に付与するためのラチェット機構を備え、
前記前ハンドルは、前記後ハンドルに向けて動くことができ、前記前ハンドルが前記後ハンドルに向けて動かされる結果、前記ラチェットハウジングが回転することにより、前記引張力付与機構が結束具に引張力を付与するようになっており、
前記結束具に作用する引張力が予め設定した大きさに達したときに、前記デテントローラが前記ラチェットハウジングの前記溝から外れて、前記ラチェットハウジングの回転が停止されるようにした、
ことを特徴とする結束工具。
【請求項２】
前記ラチェット機構は、前記ラチェットハウジング内に配置され且つ前記ラチェットハウジングに対して回動可能に連結され且つ複数の係合歯が形成されたラチェットホイールと、前記ラチェットハウジングに対して回動可能に取り付けられた駆動爪と、前記工具ボディに回動可能に連結され且つ前記ラチェットホイールとの係合により前記ラチェットホイールが巻き戻し方向に回転するのを阻止する係止爪とを備え、前記前ハンドルが前記後ハンドルに向けて動かされたとき、前記ラチェットホイールの係合歯に係合した前記駆動爪が、前記ラチェットホイールの前記チェットハウジングに対する回動を禁止することにより、前記ラチェットホイールが前記ラチェットハウジングとともに回転するようにし、これにより、前記ラチェットホイールに連係した結束具に引張力が付与される請求項１記載の結束工具。
【請求項３】
前記前ハンドルの中に、前記ラチェットハウジングと係合するようにスプリングで付勢されたプランジャが配設されており、該プランジャはフランジ部を備えており、該フランジ部に溝が形成されており、該溝にデテントローラが収容されており、該デテントローラは前記ラチェットハウジングの前記下縁に形成された前記溝に係合するようにしてあり、前記前ハンドルを操作した際に、前記デテントローラが前記ラチェットハウジングを回転させ、そして、前記結束具に作用する引張力が予め設定した大きさに達したときに、前記デテントローラが前記ラチェットハウジングの前記溝から外れて、前記ラチェットハウジングの回転が停止するようにした請求項２記載の結束工具。
【請求項４】
前記アダプタと、前記ラチェットハウジングと、前記ラチェットホイールとを貫通して延在するように配設されたマンドレルを備え、前記ラチェットホイールが回転した際に、該マンドレルが回転して、該マンドレルに挿通されている結束具を巻取るようにした請求項２記載の結束工具。
【請求項５】
前記工具ボディに揺動可能に連結された切断機構を備え、該切断機構が、結束具を切断するための回転式カッター部材と、該回転式カッター部材を操作するための切断操作レバーとを備えている請求項１記載の結束工具。
【請求項６】
前記工具ボディは前方突出部を備えており、該前方突出部には外側方へ延出したハウジングが形成されており、該ハウジングによって画成された収容空間に前記切断機構の一部が収容されている請求項５記載の結束工具。
【請求項７】
前記工具ボディに、外側方へ延出した指ガードが形成されている請求項１記載の結束工具。
【請求項８】
工具ボディと、
前記工具ボディの内側に配設された前ハンドルと、
前記前ハンドルの内側に配設された、引張力を結束具に付与するための引張力付与機構と、
前記工具ボディに揺動可能に連結された後ハンドルとを備え、
前記後ハンドルは、後ハンドル調節機構を備えており、該後ハンドル調節機構は、前記工具ボディに対する前記後ハンドルの揺動位置を調節して、前記後ハンドルを複数の異なった揺動位置に位置付け得るようにする機構であり、前記工具ボディは、前記後ハンドルを支持するための少なくとも１つのシャフトと、前記後ハンドルの揺動をロックするための複数の調節ピンとを備え、
前記後ハンドルはスタンピング部材を備えており、該スタンピング部材は、上方へ延出した一対のアーム部と、それらアーム部の間に画成された収容空間とを備えており、前記後ハンドルを前記工具ボディに取付けた状態において、前記一対のアーム部のうちの一方のアーム部が前記工具ボディの一対の内側面の間に位置し、他方のアーム部が前記工具ボディの一方の外側面に沿うようにされ、
前記前ハンドルは、前記後ハンドルに向けて動くことができ、前記前ハンドルが前記後ハンドルに向けて動かされることにより、前記引張力付与機構が結束具に引張力を付与するようになっている、
ことを特徴とする結束工具。
【請求項９】
上方へ延出した前記一対のアーム部は、前記複数の調節ピンに対向するように形成された、前記複数の調節ピンの各々が嵌合する複数の孔を備えている請求項８記載の結束工具。
【請求項１０】
上方へ延出した前記一対のアーム部は、前記工具ボディから内側方へ延出したシャフトが嵌合する中央孔を備えている請求項８記載の結束工具。
【請求項１１】
前記工具ボディの前記少なくとも１つのシャフトの周囲に嵌装したスプリングを備え、前記スプリングが、前記調節ピンが前記スタンピング部材に設けられた穴に嵌合するように、前記後ハンドルを付勢することにより、前記後ハンドルの位置が固定されるようになっている請求項８記載の結束工具。
【請求項１２】
工具ボディと、
前記工具ボディの内側に配設された前ハンドルと、
前記前ハンドルの内側に配設された、引張力を結束具に付与するための引張力付与機構と、
前記工具ボディに揺動可能に連結された後ハンドルと
を備えた結束工具であって、
前記前ハンドルは、前記後ハンドルに向けて動くことができ、前記前ハンドルが前記後ハンドルに向けて動かされることにより、前記引張力付与機構が結束具に引張力を付与するようになっており、
前記結束工具は、更に、
前記引張力付与機構が結束具に付与する引張力を、予め設定した大きさの引張力より小さな引張力に制限するデテント機構と、
前記前ハンドルの内側に配設され、前記デテント機構を無効化して、前記予め設定した大きさの引張力よりも大きな引張力を結束具に付与し得るようにするロックアウト機構と
を備えた、
ことを特徴とする結束工具。
【請求項１３】
前記引張力付与機構は、前記前ハンドルの中に収容されスプリングで付勢されたプランジャにより、結束具に引張力を付与する機構であり、
前記デテント機構は、前記プランジャを前記スプリングが圧縮する方向に移動させることにより、引張力付与機構が結束具に付与する引張力を、予め設定した大きさの引張力より小さな引張力に制限する機構であり、
前記ロックアウト機構は、前記プランジャのフランジ部に係合する円弧形部を備えており、前記円弧形部が前記プランジャが前記スプリングを圧縮する方向に移動するのを阻止することにより、前記デテント機構を無効化する請求項１２記載の結束工具。
【請求項１４】
前記ロックアウト機構は、前記前ハンドルに形成された少なくとも１つのスロットに挿通された少なくとも１つのピンが嵌合する少なくとも１つの側部開口を備えており、前記少なくとも１つのスロットの中で前記少なくとも１つのピンを摺動させることによって、前記円弧形部が、前記プランジャのフランジ部に係合するようにしてある請求項１３記載の結束工具。
【発明の詳細な説明】
【技術分野】
【０００１】
本発明は、結束工具に関するものであり、より詳しくは、ハンドルを調節可能にすると共に、被結束物の束を結束する金属製ケーブルタイや金属製ストラップに付与する引張力を制御する引張力付与機構に改良を加えた、結束工具に関するものである。
【背景技術】
【０００２】
当業者には周知のごとく、ケーブルタイやストラップは、電線やケーブルなどの被結束物の束を結束し、ないしは固定するために用いられる結束具である。一般的な構造のケーブルタイは、ヘッドと、ヘッドから延出した細長いテールとを備えている。そして、テールを非結束物の周囲に巻装した上で、そのテールを、ヘッドに形成されている挿通部に挿通する。通常、ケーブルタイのヘッドには、ロック部材が設けられている。このロック部材は、ヘッドの挿通部の中を延在するようにして設けられており、テールの本体部に係合することによって、テールをヘッドに固定するものである。
【発明の開示】
【発明が解決しようとする課題】
【０００３】
従来一般的に、結束作業を行う際には、作業者は手作業によって、非結束物の束の周囲にケーブルタイを巻装し、そのケーブルタイのテールをヘッドの挿通部に挿通し、そして手で引っ張ることにより、そのケーブルタイを被結束物の束の周囲にある程度まで締め付ける。しかる後に、作業者はケーブルタイ用の結束工具を使用して、そのケーブルタイに所定の大きさの引張力を付与する。従来の結束工具は、ケーブルタイに引張力を付与することと、引張力を付与した後にそのケーブルタイの余分な部分を切断除去することとの、両方の機能を備えてはいるものの、それら機能に関して、幾つもの短所が付随していた。
【０００４】
従って、本発明の目的は、引張力付与機構に改良を加えた結束工具を提供することにある。
本発明の別の目的は、抵抗力発生機構に改良を加えて、予め設定した引張力の設定値を無効化し、ケーブルタイやストラップに付与する引張力を変更できるようにした結束工具を提供することにある。
【０００５】
本発明の更に別の目的は調節が簡単なハンドル付きの結束工具を提供することにある。
【課題を解決するための手段】
【０００６】
本発明は、被結束物の束の周囲に巻装した例えば金属製ケーブルタイや金属製ストラップなどの結束具に引張力を付与して結束するために用いる結束工具に関する。この結束工具は、工具ボディと、前ハンドルと、後ハンドルとを備えている。前ハンドルは工具ボディの内側に配設されており、後ハンドルは工具ボディに揺動可能に連結されている。前ハンドルには、引張力付与機構が設けられており、この引張力付与機構は、予め設定した大きさの引張力を結束具に付与するためのラチェット機構を備えている。この結束工具は更に、ロックアウト機構を備えており、このロックアウト機構は、予め設定した引張力の設定値を無効化して、結束具に所望の大きさの引張力を付与し得るようにする機構である。
【発明を実施するための最良の形態】
【０００７】
図面に示したのは、本発明に係る結束工具であり、この結束工具の全体に対して参照番号４０を付してある。この結束工具は、電線やケーブルなどの被結束物の束の周囲に巻装した、例えば金属製ケーブルタイや金属製ストラップなどの結束具に、引張力を付与して結束するために用いる結束工具である。図１〜図２３に示したのは、本発明の第１の実施の形態に係る結束工具であり、これは、金属製ケーブルタイの結束作業に用いる結束工具である。また、図２４及び図２５に示したのは、本発明の第２の実施の形態に係る結束工具であり、これは、金属製ストラップの結束作業に用いる工具である。どちらの結束工具も、工具ボディ４２と、前ハンドル１２０と、前ハンドル１２０に設けられた引張力付与機構と、前ハンドル１２０の中に収容されたロックアウト機構と、工具ボディに揺動可能に連結された切断機構２４０と、調節可能な後ハンドル２６０とを備えている。工具ボディ４２は、左側部材４４と右側部材７４とを備えており、左側部材４４の内側面を４６、外側面を４８で表し、右側部材７４の内側面を７６、外側面を７８で表してある。
【０００８】
図１、図２、図５、及び図６に示したように、工具ボディの左側部材４４は、前方突出部５０と、段部５２と、本体部５４と、後端部５６とを有する。前方突出部５０の外側面４８に、外側方へ延出したハウジング部５８が形成されており、このハウジング部５８によって画成された収容空間６０に、金属製ケーブルタイを切断するための回転式カッター部材２４２が収容されている。金属製ケーブルタイの結束作業に用いる結束工具の工具ボディの左側部材の前方突出部５０は、金属製ストラップの結束作業に用いる結束工具の前方突出部３０２（図２４及び図２５参照）と比べて、突出長さを短くしてあり、このようにしたのは、回転式カッター部材２４２によって金属製ケーブルタイの余分な部分を切断除去する際に、できるだけ金属製ケーブルタイのヘッドに近い位置で切断できるようにするためである。
【０００９】
段部５２は、工具ボディの前方突出部５０と本体部５４との間に画成されており、左側部材４４の内側面４６から段違いに内側方寄りになるように形成されている。段部５２には複数の孔６２が形成されており、それら孔６２は、工具ボディの左側部材と右側部材とを連結する複数の連結部材を嵌合するための孔である。左側部材４４の本体部５４の外側面４８には、外側方へ延出した指ガード６４が形成されており、この指ガード６４は、左側部材４４の本体部５４の下縁に沿って延展している。左側部材４４の本体部５４には更に、マンドレル１６８が嵌合する大きさの中央孔６６が形成されており、このマンドレル１６８は、本発明の引張力付与機構が金属製ケーブルタイに引張力を付与する際に、その金属製ケーブルタイを巻取るための部材である。左側部材４４の後端部５６には、シャフト６８と調節ピン７０とが設けられており、それらは後端部５６の内側面４６から突出している。シャフト６８は、調節可能な後ハンドル２６０を支持するためのものであり、調節ピン７０は、工具ボディの右側部材７４から突出している調節ピン１０８と協働して、後ハンドル２６０を様々な位置に固定するためのものである。
【００１０】
図３〜図６に示したように、工具ボディの右側部材７４の形状は、左側部材４４の形状とは多少異なっている。工具ボディの右側部材７４も、前方突出部８０と、段部８２と、本体部８４と、後端部８６とを有する。前方突出部８６は、本体部８４から段違いになっており、これによって、カッター操作レバー２５８が操作されたときに切断機構２４０が回転するための空間が確保されている。前方突出部８０には、回転式カッター部材２４２が嵌合する大きさの孔８８が形成されており、既述のごとく、回転式カッター部材２４２は、工具ボディ４２の左側部材４４から延出したハウジング部５８の中に収容されるものである。右側部材７４の本体部８４は、前部孔９０と中央孔９８とを備えており、前部孔９０は本体部８４の前縁９２の近傍に形成され、中央孔９８は本体部８４の中央近傍に形成されている。本体部８４の前部孔９０の近傍に、この本体部８４の外側面７８から外側方へ突出した２本のピン９６が設けられており、それら２本のピン９６は、係止爪解放レバー１９２の移動範囲を規制している。後述するように、この係止爪解放レバー１９２を回転させることによって、この係止爪解放レバー１９２に連結した係止爪解放部材１９０を回転させるようにしている。
【００１１】
図６に示したように、右側部材７４の内側面７６には延出部１００が形成されており、この延出部１００は、工具ボディの本体部８４から段違いに内側方寄りになるように形成されている。延出部１００には、略々Ｃ字形の空間１０２と、略々円弧形の空間１０４とが形成されており、Ｃ字形空間１０２は回転式カッター部材２４２の回転角度範囲を規制する機能を果たすものであり、また、円弧形空間１０４は、係止爪解放部材１９０が回転するために必要な空間を提供している。
【００１２】
後端部８６は、本体部８４の外側面７８に対して僅かに段違いになっており、これによって本体部８４の外側面と後端部８６の外側面との間に段部１０６が画成されている。後端部８６の外側面には、外側方へ突出した調節ピン１０８が設けられている。後端部８６には更に、止着ピン２９０を嵌合させるための孔１１０が形成されている。また更に、後端部８６の内側面には、内側方へ突出したシャフト１１２が設けられている。このシャフト１１２は、左側部材の後端部から突出したシャフト６８と協働して、調節可能な後ハンドル２６０を支持するためのものである。
【００１３】
以上の構成において、工具ボディの組立てが完了したときには、図１〜図４に示したように、左側部材４４の内側面４６と右側部材７４の内側面７６とが対向しており、左側部材に形成された複数の孔と右側部材に形成された複数の孔とは、それらの位置が互いに揃っている。また、工具ボディの左側部材４４の段部５２と右側部材７４の段部８２とが互いに対向しており、それらによって、左側部材の本体部５４の内側面と右側部材の本体部８４の内側面との間に空間１１４が画成されている。更に、左側部材の後端部５６から突出したシャフト６８と、右側部材の後端部８６の内側面から突出したシャフト１１２とが互いに係合している。左側部材の本体部５４と右側部材の本体部８４との間の空間１１４には、前ハンドルの一部を構成要素とする引張力付与機構が収容されており、また、後端部５６、８６に設けたシャフト６８、１１２によって、後ハンドルが支持されている。
【００１４】
図５に示したように、本発明に係る結束工具の前ハンドル１２０は、頂部１２２、底部１２４、及び側部１２６を有しており、それらによって、人間工学的に良好な形状の握把部１２８が形成されている。そして、この前ハンドルの握把部１２８の頂部から上方へ、前ハンドルアダプタ１３０が延出している。前ハンドルアダプタ１３０は一対のアーム部１３２を備えており、それらアーム部１３２の間に挿入部１３８が画成されている。各アーム部１３２は、円弧形の頂部１３４と、中央孔１３６とを有する。更に、前ハンドルアダプタ１３０の一対のアーム部１３２の各々に、スロット１４０が形成されており、それら一対のアーム部１３２の夫々のスロット１４０に１本ずつ挿通された一対のロックアウトピン２２８が、それら一対のアーム１３２の間に配設されるロックアウト部材２２０に嵌合するようにしてある。前ハンドルアダプタ１３０の右側面には、スプリング１４４を収容するための凹部１４２が形成されており、このスプリング１４４は、工具ボディ４２に対する後ハンドル２６０の相対位置を所望の位置に合わせた後に、その所望の位置において後ハンドル２６０がガタつくことがないように、後ハンドル２６０を押さえるためのスプリングである。
【００１５】
図６に示したように、前ハンドルアダプタ１３０の一対のアーム部１３２の間に画成された挿入部１３８の中には、ラチェットハウジング１４６が挿入されて配設されている。ラチェットハウジング１４６の形状は、前ハンドルアダプタ１３０の形状に合わせた形状にしてある。より詳しくは、図５に示したように、ラチェットハウジング１４６は、円弧形の頂部１４８と、底部１５０と、背面部１５２と、一対の側片部１５４とを有する。一対の側片部１５４の各々に、中央孔１５６が形成されており、前ハンドルアダプタ１３０の挿入部１３８にラチェットハウジング１４６を挿入して装着したならば、それら側片部１５４の中央孔１５６の位置が、前ハンドルアダプタ１３０の中央孔１３６の位置に揃うようにしてある。更に、一対の側片部１５４の各々の下縁１５８に溝１６０が形成されている。
【００１６】
ラチェットハウジング１４６の内側にラチェットホイール１６２が配設されており、このラチェットホイール１６２は、その外周に複数の係合歯１６４が形成されている。ラチェットホイール１６２には更に、中央孔１６６が形成されている。図示例の中央孔１６６は角孔であるが、ラチェットホイールの中央孔の形状は、これ以外の形状としてもよい。ラチェットホイール１６２をラチェットハウジング１４６の内側に装着したならば、このラチェットホイール１６２の中央孔１６６の位置が、ラチェットハウジング１４６の中央孔１５６の位置、並びに前ハンドルアダプタ１３０の中央孔１３６の位置に揃うようにしてある。
【００１７】
図６に示したように、更にマンドレル１６８を備えており、このマンドレル１６８は、前ハンドルアダプタ１３０の一対のアーム部１３２の中央孔１３６と、ラチェットハウジング１４６の一対の側片部１５４の中央孔１５６と、ラチェットホイール１６２の中央孔１６６とを貫通して延在するようにして配設されている。マンドレル１６８は、その第１端部１７０に第１の円筒部１７２を備えており、この第１の円筒部１７２には、この第１の円筒部１７２の全長に亘って延在するスロット１７４が形成されている（図５参照）。スロット１７４は、第１の円筒部１７２の中心軸を含む平面に沿って延展しており、結束しようとする金属製ケーブルタイがこのスロット１７４に挿通される。マンドレル１６８は更に、第１の円筒部１７２より小径の第２の円筒部１７６と、角棒部１７８と、第１及び第２の円筒部より小径の第３の円筒部１８０とを備えている。マンドレル１６８を前ハンドルアダプタ１３０に挿通して装着したならば、マンドレル１６８の角棒部１７８が、ラチェットホイール１６２の角孔の形状の中央孔１６６に嵌合するようにしてある。そのため、ラチェットホイール１６２を回転させたならば、マンドレル１６８が回転するようになっている。尚、ラチェットホイールの中央孔を角孔以外の形状にするときには、その中央孔の形状に合わせた形状の部分をマンドレルに形成すればよい。
【００１８】
マンドレルの第２の円筒部１７６と第３の円筒部１８０とに、夫々、スリーブベアリング１８２が嵌装されている。そのため、マンドレル１６８と、工具ボディ４２、ラチェットホイール１４６、及び前ハンドルアダプタ１３０との間に、それらスリーブベアリング１８２が介在している。
【００１９】
図８〜図１４に示したように、ラチェットホイール１６２と、このラチェットホイール１６２に取付けられたマンドレル１６８とは、駆動爪１８４によって回転送り移動されるようにしてある。この駆動爪１８４は、ラチェットハウジング１４６の内側に配設されており、ラチェットホイール１６２の下側の係合歯１６４に係合可能にしてある。更に、前ハンドルアダプタ１３０の内側に係止爪１８６が配設されており、この係止爪１８６は、ラチェットホイール１６２に係合することによって、ラチェットホイール１６２と、このラチェットホイール１６２に取付けられたマンドレル１６８とが、巻き戻し方向に回転するのを阻止するためのものである。駆動爪１８４はスプリング１８５によって、また、係止爪１８６はスプリング１８６によって、ラチェットホイール１６２に係合した状態に維持されるように付勢されている。駆動爪１８４に隣接して駆動爪解放レバー１８８が配設されており、また、係止爪１８６に隣接して係止爪解放部材１９０が配設されている。駆動爪解放レバー１８８を操作することによって、駆動爪１８４を回転させて、この駆動爪１８４とラチェットホイールの係合歯１６４との係合を外せるようにしてある。係止爪解放部材１９０は係止爪解放レバー１９２によって作動させられるようにしてあり、この係止爪解放レバー１９２を操作することによって、係止爪１８６を回転させて、この係止爪１８６とラチェットホイールの係合歯１６４との係合を外せるようにしてある。ラチェットホイール１６２の係合歯１６４から駆動爪１８４及び係止爪１８６を外してしまうと、ラチェットホイール１６２と、このラチェットホイール１６２に取付けられたマンドレル１６８とを、回転させることはできなくなる。
【００２０】
前ハンドル１２０は、この前ハンドル１２０の底部の開口１９６から頂部の開口１９８まで貫通して延在する中空空間１９４を備えている。前ハンドル１２０は更に、窓部２００（図１）を備えており、この窓部２００によって、中空空間１９４の中に配設された引張力付与機構の一部を視認できるようにしている。前ハンドル１２０の中空空間１９４の中に、円筒形のプランジャ２０２が収容されており、このプランジャ２０２は、その頂部にフランジ部２０６を備えている。このフランジ部２０６に溝２０８が形成されており、この溝２０８は、プランジャ２０２の頂部の中心を通って延在している。この溝２０８にデテントローラ２１０が収容されており、このデテントローラ２１０は、結束工具の組立てが完了した状態では、ラチェットハウジング１４６の底部１５０に形成された溝１６０に係合するようにしてある。前ハンドル１２０の中空空間１９４の中に、更に、引張力調節スプリング２１２が配設されており、この引張力調節スプリング２１２は、デテントローラ２１０を押圧するデテントスプリングとして機能するものである。引張力調節スプリング２１２は、プランジャ２０２の下側に配設されており、引張力調節スプリング２１２の内側に引張力調節ネジ２１６が配設されている。引張力調節スプリング２１２には、引張力調節ブロック２１４及びノブ２１８が連結されており、それらは前ハンドル１２０の中空空間１９４の底部に装備されている。
【００２１】
更に、係止部材として機能するロックアウト部材２２０を備えており、このロックアウト部材２２０は、前ハンドルアダプタ１３０の一対のアーム部１３２の間に配設され、また、ラチェットハウジング１４６の下側に配設されている。図５に示したように、ロックアウト部材２２０は、円弧形の背面部２２２を有しており、この背面部２２２が、円筒形のプランジャ２０２の頂部に設けられたフランジ部２０６の下面に係合するようにしてある。ロックアウト部材２２０は、その両側部２２４に開口２２６が形成されており、それら開口２２６の大きさは、ロックアウトピン２２８が嵌合する大きさとしてある。それら開口２２６は、互いに逆向きに形成されている。上述した一対のロックアウトピン２２８は、前ハンドルアダプタ１３０に形成された一対のスロット１４０の夫々に挿通された上で、ロックアウト部材２２０に形成された一対の開口２２６の夫々に嵌合されて止着される。一対のロックアウトピン２２８は、一対のスロット１４０の中を、それらスロット１４０に沿って摺動させることができ、それによって、ロックアウト部材２２０を移動させて、プランジャ２０２と係脱させることができるようにしてある。そして、ロックアウト部材２２０を結束工具の後方へ向けて移動させると、図１５に示したように、円弧形の背面部２２２がプランジャ２０２に当接し、プランジャ２０２のフランジ部２０６の一部がロックアウト部材２２０の上面に載るようにしてある。
【００２２】
切断機構２４０は、回転式カッター部材２４２を備えて成るものであり、この回転式カッター部材２４２は、その第１の端部２４６に切り刃２４４を備えている（図５参照）。回転式カッター部材２４２は更に、第１の孔２５０と、第２の孔２５４とを備えており、第１の孔２５０は、回転式カッター部材２４２の略々中央部２４８に形成され、第２の孔２５４は、回転式カッター部材２４２の第２の端部２５２の近傍に形成されている。第１の孔２５０にはピン２５６が嵌合しており、このピン２５６は回転式カッター部材２４２から突出している。第２の孔２５４には、カッター操作レバー（カッター操作ハンドル）２５８が嵌合している。図１及び図２４に示したように、カッター操作レバーが回転式カッター部材から延出する方向は、その結束工具が金属製ケーブルタイ用の結束工具であるか、それとも金属製ストラップ用の結束工具であるかによって異なり、金属製ケーブルタイ用の結束工具では上方へ延出させてあり、金属製ストラップ用の結束工具では下方へ延出させている。
【００２３】
回転式カッター部材２４２は、その一部が、工具ボディの前方突出部に形成された孔の中に収容されており、一方、カッター操作レバー２５８は、工具ボディの外側にあって、右側部材７４の外側面７８の近傍に位置している。また、回転式カッター部材２４２の切り刃２４４は、工具ボディの左側部材４４の外側面４８から延出したハウジング部５８の内部に位置している。これらはいずれも、図２から明らかである。更に、回転式カッター部材２４２の第１の孔２５０に嵌合したピン２５６は、図６に示したように、工具ボディの右側部材の延出部１００によって画成されたＣ字形空間１０２の中に位置している。このＣ字形空間１０２は、ピン２５６の移動範囲を規制しており、もって、回転式カッター部材２４２の回転角度範囲を規制する機能を果たしている。
【００２４】
後ハンドル調節機構は、後ハンドル２６０の位置を調節して、図２３に示したように、後ハンドル２６０を複数の異なった位置に位置付け得るようにするための機構である。後ハンドル２６０は握把部２６２を備えており、この握把部２６２は、頂部２６４と、底部２６６と、両側の側部２６８とを有する（図５参照）。握把部の両側の側部２６８は、握把部を容易に且つ快適に握ることができるように、人間工学的に良好な形状にしてある。後ハンドル２６０には、その頂部２６４に、スタンピング加工により製作した部材であるスタンピング部材２７０が取付けられている。この後ハンドルのスタンピング部材２７０の底部２７２は外縁２７４を画成している。スタンピング部材２７０の外縁２７４から上方へ、左側アーム部２７６と右側アーム部２７８とが延出している。左側アーム部２７６と右側アーム部２７８とは互いに対向しており、それらの間に収容空間２８８が画成されている。左側アーム部２７６には、中央孔２８０が形成されていると共に、互いに同径の複数の小さな孔２８２が形成されている。それら複数の小さな孔２８２の個数は、３個とすることが好ましい。また、それら複数の小さな孔２８２は、中央孔２８０の下半分の周囲に、そして、中央孔２８０と同心的な単一の円周上に形成されている。中央孔２８０の径の大きさは、工具ボディの後端部の内側面から内側方へ突出したシャフト６８、１１２が嵌合する大きさにしてある。複数の小さな孔２８２の径の大きさは、工具ボディの左側部材の後端部５６の内側面４６から内側方へ突出した調節ピン７０が嵌合する大きさにしてある。右側アーム部２７８には、図５に示したように、複数の小さな孔２８４、２８６が形成されている。それら複数の小さな孔のうちの３個の孔２８４の径の大きさは互いに等しく、また、左側アーム部に形成された複数の小さな孔２８２の径の大きさとも等しくしてある。右側アーム部のそれら３個の小さな孔２８４の径の大きさは、工具ボディの右側部材の後端部８６の外側面７８から突出した調節ピン１０８が嵌合する大きさである。右側アーム部の複数の小さな孔のうちの４個目の孔２８６の形成位置は、工具ボディの右側部材の後端部に形成された孔１１０に対して位置が揃うような形成位置としてあり、この４個目の孔２８６には、後ハンドルが工具ボディから外れないように止着するための、止着ピン２９０が挿通される。
【００２５】
後ハンドル２６０を工具ボディに連結した状態では、後ハンドル２６０のスタンピング部材２７０の左側アーム部２７６が、工具ボディの左側部材の後端部の内側面と右側部材の後端部の内側面との間に位置し、また、スタンピング部材２７０の右側アーム部２７８が、工具ボディの右側部材の後端部の外側面に沿うようにしてある。また更に、後ハンドル２６０のスタンピング部材２７０の左側アーム部２７６と工具ボディの右側部材の内側面７６との間の、シャフト６８、１１２の外周に、スプリング２９２を嵌装するようにしている。後に図１９〜図２３を参照して更に説明するように、以上の後ハンドル２６０の構成は、スタンピング部材の左右のアーム部に形成した複数の小さな孔と、２本の調節ピンと、止着ピンとによって、後ハンドルの位置を調節して、後ハンドルを複数の所定位置のうちの所望の位置に位置付け得るようにしたものである。
【００２６】
既述のごとく、本発明に係る手持式の結束工具は、被結束物の束の周囲に巻装した金属製ケーブルタイ、または金属製ストラップに、引張力を付与して結束するために用いる結束工具である。結束工具の工具ボディの前方突出部の形状と、カッター操作レバーの延出方向とは、その結束工具が金属製ケーブルタイ用であるか、それとも金属製ストラップ用であるかによって異なるが、ただし、結束工具の引張力付与機構、切断機構、ロックアウト機構、及び後ハンドル調節機構は、その結束工具が金属製ケーブルタイ用であるか、それとも金属製ストラップ用であるかによらず、同一の構成であり、その動作方式も同一である。
【００２７】
本発明に係る結束工具を使用する際には、ユーザは先ず、被結束物の束の周囲に金属製ケーブルタイまたは金属製ストラップを巻装する。金属製ストラップの場合には、更に、その金属製ストラップをバックルに挿通する。続いて、その金属製ケーブルタイまたは金属製ストラップの先端を、結束工具の前方突出部に挿通し、更に、マンドレルの中央スロットに挿通する。こうして金属製ケーブルタイまたは金属製ストラップを結束工具に装着したならば、前ハンドルを操作して、被結束物の束の周囲に巻装した金属製ケーブルタイまたは金属製ストラップに作用している引張力を増大させる。図８〜図１４は、ユーザが結束工具の前ハンドルを操作して、金属製ケーブルタイに引張力を付与する過程を示したものである。尚、以下の説明は、金属製ケーブルタイ用の結束工具を用いて金属製ケーブルタイに引張力を付与して結束する作業についてのものであるが、金属製ストラップ用の結束工具を用いて金属製ストラップに引張力を付与して結束する作業も、同様にして行うことができる。
【００２８】
図８及び図９に示したように、結束工具の初期状態では、前ハンドル１２０の中に装備されているスプリング２１２が、プランジャ２０２を上方へ押圧しており、即ち、プランジャ２０２をラチェットハウジング１４６へ押付けている。そのため、プランジャ２０２の頂部のフランジ部２０６に配設されたデテントローラ２１０が、ラチェットハウジング１４６の下縁１５８に形成された溝１６０に係合している。この初期状態においては、駆動爪１８４及び係止爪１８６が、ラチェットホイール１６２の複数の係合歯１６４のうちの夫々１つずつの係合歯に係合している。この状態から、前ハンドル１２０を操作して、前ハンドル１２０を結束工具の後方へ向けて引いて行くと、デテントローラ２１０が溝１６０に係合しているため、結束工具の後方へ向かって揺動する前ハンドル１２０と一体的にラチェットハウジング１４６が回転する。尚、スプリング２１２の押圧力が工具ボディへ伝達する伝達経路には一対のスリーブベアリング１８２が介装されているため、前ハンドル１２０を揺動させる操作は容易に行うことができ、従って、前ハンドル１２０に装着されているマンドレル１６８を容易に回転させることができる。そして、図１０から明らかなように、ラチェットハウジング１４６が回転すると、駆動爪１８４が、ラチェットホイール１６２を回転させ、従って、このラチェットホイール１６２に連結されたマンドレル１６８を回転させる。その結果、マンドレル１６８に挿通されている金属製ケーブルタイが、マンドレル１６８の周囲に巻き付きはじめる。そこから更に前ハンドル１２０を操作して揺動させると、図１１に示したように、駆動爪１８４がラチェットホイール１６２を更に回転送り移動して回転させ、このラチェットホイール１６２の回転によって、ケーブルタイをマンドレル１６８の周囲に更に巻取ることができる。
【００２９】
図１２及び図１３に示したように、ケーブルタイの引張力が所望の大きさになったならば、その時点で、それまでラチェットハウジング１４６の溝１６０に係合していたデテントローラ２１０が、溝１６０から外れる。前ハンドル１２０は、デテントローラ２１０と溝１６０との係合が外れた後も、結束工具の後方へ向けて揺動し続ける。こうして前ハンドル１２０が揺動し続けるとき、デテントローラ２１０はラチェットハウジング１４６の下縁１５８に沿って転動しており、また、プランジャ２０２はデテントローラ２１０によって下方へ押し下げられ、前ハンドル１２０の収容空間１９４の中のスプリング２１２はその押し下げられたプランジャ２０２によって圧縮されている。また、そのとき、ラチェットハウジング１４６と、このラチェットハウジング１４６に取付けられている様々な部品とは、回転することなく停止しており、更に、ケーブルタイも、マンドレル１６８の周囲に巻取られた状態に維持されている。
【００３０】
以上によって、ケーブルタイの引張力の大きさが、予め設定した大きさになる。これに続いて、切断機構を操作することで、ケーブルタイの余分な部分を切断除去することができる。それには、カッター操作レバー２５８を操作して揺動させればよい。すると、ハウジング部５８の収容空間６０の中の回転式カッター部材２４２の切り刃が回転して、引張力が作用した状態でこの収容空間６０の中を延在しているケーブルタイを切断する。尚、このようにしてケーブルタイの余分な部分を切断したときに、それまでマンドレルに巻き付いていた、切断された余分な部分のケーブルタイが、巻きが戻るために撥ねることがある。工具ボディの左側部材の外側面から延出している指ガード６４は、切断された余分な部分のケーブルタイの、この撥ねる運動を抑えて、それがユーザの手にあたるのを防止する機能を果たすものである。
【００３１】
予め設定する引張力の大きさは、前ハンドル１２０の底部のノブ２１８を回転させることによって調節することができる。既述のごとく、ノブ２１８は、引張力調節ネジ２１６及び引張力調節ブロック２１４に連結されている。ノブ２１８を回転させることで、前ハンドルの中に収容され引張力調節ブロック２１４の上に配設されているスプリング２１２を伸縮させることができ、それによって、結束工具に対して予め設定する引張力の大きさの設定値を調節することができる。尚、図示例の結束工具では、ノブを回転させることによって、この引張力の大きさの設定値を、５０ポンド（約２３ｋｇ）〜７５０ポンド（約３４０ｋｇ）の範囲内で調節可能にしている。
【００３２】
一方、以上に説明したデテント機構を無効化したい場合には、ロックアウト部材２２０を操作することによって無効化することが可能であり、それによって、デテント機構に対して設定した引張力の設定値の大きさとは無関係に、ユーザがケーブルタイに所望の大きさの引張力を付与できるようになる。図１５〜図１８に示したように、また既に述べたように、ロックアウト部材２２０は円弧形の背面部２２２と一対の開口２２６とを有しており、一対の開口２２６には、一対のロックアウトピン２２８が嵌合している。それら一対のロックアウトピン２２８を、結束工具の後方へ移動させることによって、ロックアウト部材２２０をプランジャ２０２へ近付ける方向へ移動させることができる。図１５に示したように、一対のロックアウトピン２２８を、夫々のスロット１４０の後端まで移動させたときに、ロックアウト部材２２０がプランジャ２０２の頂部のフランジ部２０６の下面に係合するようにしてある。ロックアウト部材２２０は、ラチェットハウジング１４６の溝１６０に係合しているデテントローラ２１０が、この溝１６０から外れるのを阻止するように機能し、また、プランジャ２０２が、前ハンドルの中のスプリング２１２を圧縮しつつ下方へ移動するのを阻止するように機能するものである。既述のごとく、ユーザが前ハンドル１２０を操作したならば、それによって、ラチェットホイール１６２及びマンドレル１６８が回転する。ただし、デテント機構を無効化した場合には、ユーザは、被結束物の束の周囲に巻装したケーブルタイの引張力の大きさが、ユーザの望む大きさに達するまで、前ハンドル１２０を揺動させるようにする。そして、引張力が所望の大きさに達したならば、カッター操作レバー２５８を揺動させてケーブルタイの余分な部分を切断し、被結束物の束から取り除くようにすればよい。
【００３３】
ただし、ケーブルタイの余分な部分を切断除去せずに、そのまま残したい場合には、駆動爪解放レバー及び係止爪解放レバーを操作して、それまで金属製ケーブルタイに作用させていた引張力を緩めればよい。図１８に示したように、駆動爪解放レバー１８８を起こすことによって、駆動爪１８４の係合を外すことができる。また、工具ボディの右側部材の外側面に装備した係止爪解放レバー１９２を揺動させて係止爪解放部材１９０を回転させることによって、係止爪１８６の係合を外すことができる。これらによって、ケーブルタイの余分な部分を結束工具から抜き取ることができ、抜き取ったケーブルタイの余分な部分は、被結束物の周囲に巻いた状態にしておけばよい。
【００３４】
図１９〜図２３に、後ハンドル調節機構を示した。この後ハンドル調節機構は、後ハンドル２６０の位置を調節して、後ハンドル２６０を３つの所定位置のうちの所望の位置に位置付け得るようにする機構である。後ハンドル２６０の位置を調節するには、先ず、図２１に示したように、後ハンドル２６０を、工具ボディの右側部材７４の方へ寄せるように移動させる。このとき、後ハンドル２６０はシャフト６８、１１２に沿って移動し、それに伴って、後ハンドル２６０のスタンピング部材２７０が、このスタンピング部材２７０と工具ボディとの間に介装されたスプリング２９２を圧縮する。こうして後ハンドル２６０を寄せて行くと、ついには、工具ボディから突出するように設けられている２本の調節ピン７０、１０８が、それまで係合していたスタンピング部材２７０から外れる。これによって、後ハンドル２６０が、シャフト６８、１１２を中心として所望の位置へ自由に揺動し得る状態になる。そこで、後ハンドル２６０を所望の揺動位置へ揺動させて、２本の調節ピン７０、１０８を、スタンピング部材の左右一対のアーム部の各々に形成された複数の小さな孔２８２、２８４のうちの１つずつに対して位置合わせし、そして、後ハンドル２６０から手を離せば、後ハンドル２６０は、工具ボディの左側部材４４の方へ寄せられるように移動する。これによって、後ハンドル２６０は、新たな揺動位置へ移動されたことになり、この移動後の揺動位置において、２本の調節ピン７０、１０８が、夫々、スタンピング部材の左右のアーム部に形成された複数の孔２８２、２８４のうちの１つずつに嵌合した状態となっている。図２３に想像線で示したように、後ハンドル２６０は、揺動位置の調節を行うことによって、工具ボディよりも上方に位置する上位位置と、工具ボディと同程度の高さに位置する中位位置と、工具ボディよりも下方に位置する下位位置とに位置付けることができるようにしてある。尚、図示例の結束工具は、このように後ハンドルを、上位位置、中位位置、下位位置の３つの揺動位置に位置付け得るようにしたものであるが、後ハンドルをこれら以外の所望の揺動位置に位置付け得るように結束工具を構成することも可能であることはいうまでもない。
【００３５】
図２４〜図３５に、その全体に対して参照番号３００を付して示した結束工具は、本発明の第２の実施の形態に係る結束工具である。この第２の実施の形態に係る結束工具は、被結束物の束の周囲に巻装した金属製ストラップに、引張力を付与して結束する作業に用いる結束工具である。既に述べたように、この金属製ストラップ用の結束工具の引張力付与機構及び後ハンドル調節機構は、金属製ケーブルタイ用の結束工具の引張力付与機構及び後ハンドル調節機構と同じものである。更に、切断機構も、カッター操作レバーの延出方向が異なることを別にすれば、金属製ケーブルタイ用の結束工具の切断機構と同じものである。この金属製ストラップ用の結束工具では、カッター操作レバーが、回転式カッター部材から結束工具の後方下方へ向かって延出している。この金属製ストラップ用の結束工具では、前方延出部３０２を長寸のものにし、また、その先端部３０４を、丸みを持たせずに細く尖った形状とした上で、その最先端の部分だけを面取りしてあり、これによって、金属製ストラップのうちの、前方突出部３０２に挿入された部分に対して、折り曲げるなどの操作を行えるようにしている。更に、この結束工具の後ハンドルには、バックル閉じ具３１０が装備されている。このバックル閉じ具３１０は、後ハンドルの中に挿入するようにして取付けられ、その先端が後ハンドルの底部から突出している。
【００３６】
図２８〜図３５に、金属製ストラップの余分な部分を切断した上で、その切断によって形成された金属製ストラップの端部を、バックル３３０に固定するまでの作業手順を示した。この作業手順では、金属製ストラップに所望の引張力を付与したならば、結束工具を前方へ倒すようにして（図２８参照）、十分に大きな屈曲角度をもって金属製ストラップを折り曲げ、それによって、金属製ストラップに付与した引張力が弛まないようにする。続いて、カッター操作レバーを操作して、金属製ストラップの余分な部分を切断する。次に、その切断によって形成された金属製ストラップの端部を、バックルへ押付けるように更に折り曲げる。続いて、バックル閉じ具３１０を使用して、バックルの固定タブ３３２を押し下げ、切断によって形成された金属製ストラップの端部を、この固定タブ３３２で押さえるようにする。これによってバックルを、安全確実に閉じることができる。
【００３７】
以上、本発明の好適な実施の形態として、具体的な構成例を図面に示し、詳細に説明したが、ただし当業者であれば、本発明の教示から逸脱することなく、それら実施の形態に対して様々な変更ないし改変を加え得ることはいうまでもない。以上に説明した内容、並びに添付図面に示した内容は、あくまでも具体例を提示することを目的としたものであって、本発明の範囲がそれら内容に限定されるというものではない。
【図面の簡単な説明】
【００３８】
【図１】金属製ケーブルタイを結束するために用いる本発明に係る結束工具の斜視図である。
【図２】図１の結束工具の上方部分を前方左方から見た斜視図である。
【図３】図１の結束工具を前方右方から見た斜視図である。
【図４】図１の結束工具の上方部分を後方右方から見た斜視図である。
【図５】図１の結束工具の分解斜視図である。
【図６】図１の結束工具を途中まで組立てた状態を示した斜視図である。
【図７】図１の結束工具の上面図である。
【図８】図７の８−８線に沿った結束工具の上方部分の断面図である。
【図９】図７の８−８線に沿った結束工具の工具ボディ及び前ハンドルの断面図である。
【図１０】図７の１０−１０線に沿った、結束工具の断面図である。
【図１１】前ハンドルを操作して結束工具の後方へ揺動させたときの状態を示した、図１０の結束工具の断面図である。
【図１２】前ハンドルを操作してデテント機構が外れたときの状態を示した、図７の１２−１２線に沿った結束工具の断面図である。
【図１３】前ハンドルを操作してデテント機構が外れたときの状態を示した、図１０の結束工具の断面図である。
【図１４】金属製ケーブルタイの余分な部分を切断したときに、その金属製ケーブルタイの切断された部分の巻きが戻り、その部分の端部が指ガードに当たって止まった状態を示した図１の結束工具の左側面図である。
【図１５】ロックアウト部材が係合した状態を示した、図１０の結束工具の断面図である。
【図１６】ロックアウト部材が係合した状態を示した、図１５の１６−１６線に沿った結束工具の断面図である。
【図１７】ロックアウト部材が係合した状態を示した、図１５の１７−１７線に沿った結束工具の断面図である。
【図１８】駆動爪及び係止爪をラチェットホイールから外した状態を示した、図１０の結束工具の断面図である。
【図１９】図１の結束工具の工具ボディに連結された後ハンドルの側面図である。
【図２０】図１９の２０−２０線に沿った結束工具の工具ボディに連結された後ハンドルの断面図である。
【図２１】図１の結束工具の工具ボディに連結された後ハンドルを後方から見た斜視図である。
【図２２】後ハンドルを調節ピンから外しかけた状態を示した図２０の結束工具の工具ボディに連結された後ハンドルの断面図である。
【図２３】後ハンドルの別の揺動位置を想像線で示した図１の結束工具の側面図である。
【図２４】金属製ストラップを結束するために用いる本発明の結束工具を右側から見た斜視図である。
【図２５】図２４の結束工具を左側から見た斜視図である。
【図２６】図２４の結束工具の右側面図である。
【図２７】図２４の結束工具の左側面図である。
【図２８】結束工具を前方へ倒して、金属製ストラップを十分に大きな屈曲角度をもって折り曲げ、それによって、金属製ストラップに付与した引張力が弛まないようにした状態を示した図２４の結束工具の左側面図である。
【図２９】カッター部材を回転させて金属製ストラップの余分な部分を切断した状態を示した図２８の結束工具の前方突出部の左側面図である。
【図３０】引張力が付与された状態で余分な部分が切断された金属製ストラップを示した図２９の結束工具の左側面図である。
【図３１】引張力が付与された状態でバックルに組付けられた金属製ストラップの斜視図である。
【図３２】引張力が付与された状態で図３１のバックルに組付けられた金属製ストラップと、図２４の結束工具のバックル閉じ具とを示した斜視図である。
【図３３】図３２のバックルに係合した結束工具のバックル閉じ具の側面図である。
【図３４】図３２のバックルを折り曲げているときの結束工具のバックル閉じ具の側面図である。
【図３５】引張力が付与された状態で図３１のバックルに固定された金属製ストラップの斜視図である。
【図１】
0004795678.tif 000002
【図２】
0004795678.tif 000003
【図３】
0004795678.tif 000004
【図４】
0004795678.tif 000005
【図５】
0004795678.tif 000006
【図６】
0004795678.tif 000007
【図７】
0004795678.tif 000008
【図８】
0004795678.tif 000009
【図９】
0004795678.tif 000010
【図１０】
0004795678.tif 000011
【図１１】
0004795678.tif 000012
【図１２】
0004795678.tif 000013
【図１３】
0004795678.tif 000014
【図１４】
0004795678.tif 000015
【図１５】
0004795678.tif 000016
【図１６】
0004795678.tif 000017
【図１７】
0004795678.tif 000018
【図１８】
0004795678.tif 000019
【図１９】
0004795678.tif 000020
【図２０】
0004795678.tif 000021
【図２１】
0004795678.tif 000022
【図２２】
0004795678.tif 000023
【図２３】
0004795678.tif 000024
【図２４】
0004795678.tif 000025
【図２５】
0004795678.tif 000026
【図２６】
0004795678.tif 000027
【図２７】
0004795678.tif 000028
【図２８】
0004795678.tif 000029
【図２９】
0004795678.tif 000030
【図３０】
0004795678.tif 000031
【図３１】
0004795678.tif 000032
【図３２】
0004795678.tif 000033
【図３３】
0004795678.tif 000034
【図３４】
0004795678.tif 000035
【図３５】
0004795678.tif 000036